(57)【要約】【課題】端子の中途挿入状態での誤係止を防止する。【解決手段】コネクタハウジング３０と、コネクタハウジングの雌端子収容孔３４にそれぞれ後方から挿入される複数の雌型端子金具２０と、各雌端子収容孔に設けられた可撓性のランス３６と、コネクタハウジング内に装備されて雌型端子金具間を導通接続するジョイント端子１０と、を備える。雌型端子金具の挿入方向に沿った側部に、雌型端子金具の挿入方向に交差する同じ方向に突出すると共に雌型端子金具の挿入方向の前後に離間して互いに独立し且つ左右方向に互いに位置がずれた前側突起２３と後側突起２４とが設けられ、ランス３６に、後側突起が通過した際に後側突起と係合することで端子を抜け止めする係止壁３６ｃと、前側突起がランスを通過する際に係止壁と前側突起とが係合するのを阻止するリブ１５と、が設けられている。【選択図】図４
2012169186.tif 000002
【特許請求の範囲】
【請求項１】
複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、前記雌端子収容孔に沿って延出する弾性片の自由端側に前記雌端子収容孔に向かって突出する突起を備えて前記規定位置に挿入された前記雌型端子金具を抜け止めするランスと、を有する樹脂製のコネクタハウジングと、
を備え、
前記雌型端子金具の前記端子収容孔への挿入方向に沿った側部に、前記雌型端子金具の挿入方向に交差する同じ方向に突出すると共に前記雌型端子金具の挿入方向の前後に離間して互いに独立し且つ左右方向に互いに位置がずれた前側突起と後側突起とが設けられ、
前記ランスに、前記後側突起が通過した際に該後側突起と係合することで前記雌型端子金具を抜け止めする係止壁と、前記前側突起が前記ランスを通過する際に該係止壁と前側突起とが係合するのを阻止するリブと、が設けられていることを特徴とするジョイントコネクタ。
【請求項２】
前記ランスに設けられた前記リブが、端子挿入方向に沿った端部を前記コネクタハウジングに固定され、前記ランスが両持ち支持構造であることを特徴とする請求項１に記載のジョイントコネクタ。
【発明の詳細な説明】
【技術分野】
【０００１】
本発明は、複数の電線を互いに接続したり、１系統の電線を複数に分配したりする際に使用されるジョイントコネクタに関する。
【背景技術】
【０００２】
図５は、ジョイントコネクタの従来例を示したものである。
このジョイントコネクタ１００は、下記特許文献１に開示されたもので、ジョイント端子（バスバー）１１０と、複数本の雌型端子金具１２０と、第１のコネクタハウジング１３０と、第２のコネクタハウジング１４０と、を備えている。
【０００３】
ジョイント端子１１０は、金属板のプレス成形品で、雌型端子金具１２０を嵌合接続する複数本のタブ片１１１と、これらのタブ片１１１を導通接続した連結部１１２と、を備える。
【０００４】
雌型端子金具１２０は、金属板のプレス成形品で、タブ片１１１が嵌合する角筒状の箱部１２１と、該箱部１２１の後端から延出して電線１５０を圧着する電線加締め部１２２と、抜け止め用の係合凹部１２３と、を備える。
【０００５】
第１のコネクタハウジング１３０は、樹脂の射出成型品で、ハウジング一端部１３１と、該ハウジング一端部１３１から延出した筒状のフード部１３２と、を備える。
【０００６】
ハウジング一端部１３１は、タブ片１１１をハウジングの他端１３０ａ（図５では、右端）側に向けて、ジョイント端子１１０を収容保持する。このハウジング一端部１３１は、例えば、インサート成形により、ジョイント端子１１０を保持する。
【０００７】
フード部１３２は、第２のコネクタハウジング１４０を嵌合させる筒状部である。このフード部１３２には、嵌合した第２のコネクタハウジング１４０を固定するためのロック穴部１３４が設けられている。
【０００８】
第２のコネクタハウジング１４０は、雌型端子金具１２０を収容保持して、第１のコネクタハウジング１３０に嵌合接続される。
【０００９】
第２のコネクタハウジング１４０は、雌型端子金具１２０を収容する複数の雌端子収容孔１４１と、雌端子収容孔１４１内に挿入された雌型端子金具１２０を抜け止めするランス１４２と、第１のコネクタハウジング１３０との結合状態をロックするロック突起１４３と、を備える。
【００１０】
ランス１４２は、雌端子収容孔１４１に沿って延出する弾性片１４２ａの自由端側に、雌端子収容孔１４１に向かって突出する端子係止突起１４２ｂを備えている。このランス１４２は、雌端子収容孔１４１に雌型端子金具１２０が挿入されている途中では、雌型端子金具１２０の箱部１２１と端子係止突起１４２ｂとの干渉により、端子係止突起１４２ｂが雌端子収容孔１４１の外側に退避するように、弾性片１４２ａが撓み変形して雌型端子金具１２０の挿入を許容する。そして、雌型端子金具１２０が規定位置まで挿入されると、端子係止突起１４２ｂの弾性復元力で端子係止突起１４２ｂが雌型端子金具１２０の係合凹部１２３に係合して、雌型端子金具１２０を抜け止めする。
【００１１】
ロック突起１４３は、第１のコネクタハウジング１３０と第２のコネクタハウジング１４０とが正常に嵌合完了したときに、第１のコネクタハウジング１３０のロック穴部１３４に係合して、コネクタハウジング相互の結合状態をロックする。
【００１２】
以上のジョイントコネクタ１００では、第２のコネクタハウジング１４０に装着されている雌型端子金具１２０が規定位置に到達していない半嵌合（不完全挿入）状態のときに、それを検知する半嵌合検知手段として、第１のコネクタハウジング１３０のハウジング一端部１３１に、半嵌合検知突起１３５を備えている。
【００１３】
この半嵌合検知突起１３５は、第１のコネクタハウジング１３０と第２のコネクタハウジング１４０とを嵌合させたとき、ランス１４２の退避用空間１４５に挿入される突起である。雌型端子金具１２０が雌端子収容孔１４１に半嵌合状態のときは、ランス１４２が退避用空間１４５側に撓み変位しているため、ハウジング相互を嵌合させた際に、半嵌合検知突起１３５が退避用空間１４５に変位しているランス１４２の先端に干渉して、ハウジング相互の嵌合が阻害されることで、雌型端子金具１２０が半嵌合状態であることが検知される。
【先行技術文献】
【特許文献】
【００１４】
【特許文献１】特開平８−２５０１８５号公報
【発明の概要】
【発明が解決しようとする課題】
【００１５】
ところで、上記のジョイントコネクタ１００は、第１のコネクタハウジング１３０と第２のコネクタハウジング１４０を別に用意する必要があるため、部品点数が多く、コスト高になるという問題がある。そこで、コストを抑えるため、１つのハウジングにジョイント端子と雌型端子金具とを一緒に収容すると共に、雌型端子金具として既存のものを流用するようにしたジョイントコネクタについて検討してみた。この場合の流用しようとする既存の雌型端子金具は、前側に一次係止用の突起（前側突起）を有すると共に、後側にスタビライザとしての突起（後側突起）を有するものであるが、この雌型端子金具を使用する場合、次のような問題が生じるおそれがあることが新たにわかった。
【００１６】
すなわち、ハウジングに挿入した雌型端子金具を固定する場合、端子収容孔に設けた可撓性のランスによって係止するのが一般的であるが、この前側と後側に２つの突起を有する雌型端子金具をランスで固定する場合、本来ランスと係合すべき後側突起がランスを通過する前に、前側突起がランスを通過した段階で、ランスと前側突起が係合してしまい、中途挿入状態であるにも拘わらず、雌型端子金具の挿入を完了したと誤認してしまうおそれがあることが新たにわかった。
【００１７】
そこで、本発明の目的は、上記課題を解消することに係り、雌型端子金具の中途挿入状態での誤係止を防止するようにしたジョイントコネクタを提供することにある。
【課題を解決するための手段】
【００１８】
本発明の上記目的は、下記の構成により達成される。
（１）  複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、前記雌端子収容孔に沿って延出する弾性片の自由端側に前記雌端子収容孔に向かって突出する突起を備えて前記規定位置に挿入された前記雌型端子金具を抜け止めするランスと、を有する樹脂製のコネクタハウジングと、
を備え、
前記雌型端子金具の前記端子収容孔への挿入方向に沿った側部に、前記雌型端子金具の挿入方向に交差する同じ方向に突出すると共に前記雌型端子金具の挿入方向の前後に離間して互いに独立し且つ左右方向に互いに位置がずれた前側突起と後側突起とが設けられ、
前記ランスに、前記後側突起が通過した際に該後側突起と係合することで前記雌型端子金具を抜け止めする係止壁と、前記前側突起が前記ランスを通過する際に該係止壁と前側突起とが係合するのを阻止するリブと、が設けられていることを特徴とするジョイントコネクタ。
【００１９】
（２）前記ランスに設けられた前記リブが、端子挿入方向に沿った端部を前記コネクタハウジングに固定され、前記ランスが両持ち支持構造であることを特徴とする上記（１）に記載のジョイントコネクタ。
【００２０】
上記（１）の構成のジョイントコネクタによれば、前側突起がランスを通過するときには、リブによって、前側突起が係止壁と係合するのを阻止するので、雌型端子金具が正規の位置まで挿入されて、後側突起がランスを通過したときだけ、ランスの係止壁を後側突起と係合させることができる。従って、雌型端子金具の中途挿入状態での誤係止を防止することができ、中途挿入状態であるにも拘わらず、端子の挿入を完了したと誤認してしまうおそれを無くすことができる。
【００２１】
上記（２）の構成のジョイントコネクタによれば、ランスが両持ち構造であるので、端子保持力が増加する。
【発明の効果】
【００２２】
本発明によれば、雌型端子金具の中途挿入状態での誤係止を防止することができ、中途挿入状態であるにも拘わらず、雌型端子金具の挿入を完了したと誤認してしまうおそれを無くすことができる。
【図面の簡単な説明】
【００２３】
【図１】本発明に係るジョイントコネクタ装置の一実施形態の分解斜視図である。
【図２】図１に示した雌型端子金具の先端側斜め上方から視た斜視図である。
【図３】同ジョイントコネクタのハウジングの内部構造を示す斜視図である。
【図４】同ジョイントコネクタのハウジングに雌型端子金具を挿入したときの作用説明図で、（ａ）は途中まで挿入した状態を示す側断面図、（ｂ）は挿入完了した状態を示す側断面図である。
【図５】従来のジョイントコネクタの分解状態の縦断面図である。
【発明を実施するための形態】
【００２４】
以下、本発明の一実施形態を図面に基づいて説明する。
図１は本発明に係るジョイントコネクタの一実施形態の分解斜視図、図２は図１に示した雌型端子金具の先端側斜め上方から視た斜視図、図３は同ジョイントコネクタのハウジングの内部構造を示す斜視図、図４は同ジョイントコネクタのハウジングに雌型端子金具を挿入したときの作用説明図で、（ａ）は途中まで挿入した状態を示す側断面図、（ｂ）は挿入完了した状態を示す側断面図である。
【００２５】
この一実施形態のジョイントコネクタ１は、図１に示すように、ジョイント端子１０と、雌型端子金具２０と、樹脂製のコネクタハウジング３０と、を備える。
【００２６】
ジョイント端子１０は、金属板のプレス成形品で、雌型端子金具２０を嵌合接続する複数本のタブ片１１とこれらのタブ片１１を導通接続した連結部１２と、を備える。
【００２７】
雌型端子金具２０は、金属板のプレス成形品で、図１及び図２に示すように、タブ片１１が嵌合する角筒状の箱部２１と、該箱部２１の後端から延出して電線を圧着する電線加締め部２２と、挿入案内用突片２４（後述する後側突起）と、を備える。
【００２８】
電線加締め部２２は、電線の導体を圧着する導体加締め片２２ａと、電線の被覆部に加締め付けることで電線を固定する被覆加締め片２２ｂとを備える。
【００２９】
雌型端子金具２０は、他のコネクタ端子の流用品であることから、雌型端子金具２０の雌端子収容孔３４への挿入方向に沿った側部に、雌型端子金具２０の挿入方向に交差する同じ方向に突出すると共に雌型端子金具２０の挿入方向の前後に離間して互いに独立し且つ左右方向に互いに位置がずれた一次係止突起（以下、前側突起という）２３と挿入案内用突片２４（以下、後側突起という）とを有している。
【００３０】
後側突起２４は、箱部２１の後端寄りの位置において、後述するコネクタハウジング３０の雌端子収容孔３４への挿入方向に沿って延在する舌状片である。この後側突起２４は、箱部２１の側壁の一部を延長して折り曲げ成形することで、舌状に形成されている。
【００３１】
コネクタハウジング３０は、樹脂の射出成型品で、ハウジング一端部３１と、該ハウジング一端部３１とは逆側の端部であるハウジング他端部３２と、を備えている。
【００３２】
ハウジング一端部３１は、図４に示すように、タブ片１１をハウジング他端部３２側に向けて、ジョイント端子１０を収容保持する。
【００３３】
ハウジング他端部３２には、図３及び図４に示すように、複数の雌端子収容孔３４が配列されている。これらの複数の雌端子収容孔３４は、雌型端子金具２０を規定位置まで挿入することで雌型端子金具２０とタブ片１１とを嵌合状態にする孔である。ここに、規定位置とは、タブ片１１と箱部２１とが、電気的な接続に必要十分な接触長を得る位置である。
【００３４】
雌端子収容孔３４には、図３に示すように、ガイド溝３５が設けられている。ガイド溝３５は、雌型端子金具２０の雌端子収容孔３４への挿入時に、後側突起２４を摺動可能に案内して、雌型端子金具２０を規定位置に案内する。
【００３５】
ランス３６は、図３及び図４に示すように、雌端子収容孔３４に沿って延出する弾性片３６ａと、この弾性片３６ａの自由端（図４では右端）に突設された端子係止突起３６ｂと、を備えている。
【００３６】
端子係止突起３６ｂは、雌端子収容孔３４に向かって突出していて、図４（ｂ）に示すように、規定位置に挿入された後側突起２４に係合することで、雌型端子金具２０を抜け止めする。
【００３７】
端子係止突起３６ｂの前端には、雌型端子金具２０がコネクタハウジング３０の雌端子収容孔３４に挿入されて、後側突起２４がランス３６を通過した際に、後側突起２４と係合することで雌型端子金具２０を抜け止めする係止壁３６ｃが設けられている。また、係止壁３６ｃには、前側突起２３がランス３６を通過する際に係止壁３６ｃと前側突起２３とが係合するのを阻止するリブ１５が突設されている。この場合のリブ１５は、前側突起２３とは干渉する左右方向の位置に設けられているものの、後側突起２４とは干渉しない左右方向の位置に設けられている。
【００３８】
リブ１５の一端はランス３６に固定されている。リブ１５の他端はどこにも固定されずに自由端部になっていてもよいが、本実施形態では、ハウジング３０に固定されている。これにより、ランス３６は両持ち支持構造となっており、ランス３６による端子保持力が増加する。
【００３９】
このジョイントコネクタを組み立てる際には、まず、ジョイント端子１０をコネクタハウジング３０の前部に装着する。次に、コネクタハウジング３０の後方から各雌端子収容孔３４に雌型端子金具２０を挿入する。その際、図４（ａ）に示すように、前側突起２３がランス３６を通過するときには、リブ１５が前側突起２３に干渉してランス３６が外側に撓むことによって、前側突起２３が係止壁３６ｃと係合するのを阻止することができ、前側突起２３は、そのままランス３６を素通りさせることができる。また、更に雌型端子金具２０が正規の位置まで挿入されて、後側突起２４がランス３６を通過した段階では、リブ１５が後側突起２４と干渉しない位置にあるので、後側突起２４の通過に伴い撓みから復帰したランス３６の係止壁３６ｃに後側突起２４を係合させることができ、この段階で初めて雌型端子金具２０を抜け止め固定することができる。
【００４０】
従って、雌型端子金具２０の中途挿入状態での誤係止を防止することができ、中途挿入状態であるにも拘わらず、雌型端子金具２０の挿入を完了したと誤認してしまうおそれを無くすことができ、ジョイント不良を未然に防ぐことができる。
【００４１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４２】
１  ジョイントコネクタ
１０  ジョイント端子
１１  タブ片
１５  リブ
２０  雌型端子金具
２１  箱部
２３  前側突起
２４  後側突起（挿入案内用突片）
３０  コネクタハウジング
３１  ハウジング一端部
３２  ハウジング他端部
３４  雌端子収容孔
３５  ガイド溝
３６  ランス
３６ｂ  端子係止突起
３６ｃ  係止壁
【図１】
2012169186.tif 000003
【図２】
2012169186.tif 000004
【図３】
2012169186.tif 000005
【図４】
2012169186.tif 000006
【図５】
2012169186.tif 000007